(57)【特許請求の範囲】
【請求項１】
装置内部で発生した熱とガス成分を装置外部に排気するための筒型の排気ダクトを備えた写真処理装置において、
装置の上面パネルに開口した排気口を設け、
前記排気ダクトは、
排気方向に平行な分割面で２分割構成するとともに、
２分割構成された前記排気ダクトを相互に嵌合させて一体化する嵌合手段と、
前記嵌合手段によって排気ダクトを相互に嵌合させて一体化したときに排気ファンを前記排気ダクトの内部に挟み込んで保持する溝状保持手段と、
前記排気ファンへの配線を前記排気ダクトの内面に掛止する配線掛止手段と、
前記排気ファンによる排気を前記排気口へ導くために向きを変える導流板と、
を備えたことを特徴とする写真処理装置。
【発明の詳細な説明】
【０００１】
【発明の属する技術分野】
本発明は、写真処理装置における排気構造に関するものである。
【０００２】
【従来の技術】
従来より、写真処理装置の内部においては、写真処理工程における熱や湿気が発生するので、排気ファンと排気ダクトと排気口とからなる排気構造を備えていた。
このような従来の排気構造においては、筒状に一体形成された排気ダクトの入口部に排気ファンがネジで固定され、この排気ダクトが装置に固定され、装置の内部の熱や湿気は排気ファンで吸引されて排気ダクトを介して排気口から外部へ排気されるように構成されていた。
【０００３】
【発明が解決しようとする課題】
ところが、上述したように、排気ダクトの入口部に排気ファンをネジ止めするために、排気ダクト回りに大きなスペースを要するという問題があった。例えば、排気ファンとしては十分な能力を得るために十分な大きさの径のファンが選定される。そのファンを取り付ける場所が排気ダクトの入口部であるため、その入口部の内径も大きくしなければならなかった。また、ファンをネジ止めするためにバッフル板等も要していた。
【０００４】
これらのことは、装置自体を小型化するためのネックになっていた。
【０００５】
そこで、本発明は、排気構造を改良することによって、排気ダクト回りをコンパクトにできる写真処理装置を提案することを目的とするものである。
【０００６】
【課題を解決するための手段】
本発明によれば、装置内部で発生した熱とガス成分を装置外部に排気するための筒型の排気ダクトを備えた写真処理装置において、装置の上面パネルに開口した排気口を設け、前記排気ダクトは、排気方向に平行な分割面で２分割構成するとともに、２分割構成された前記排気ダクトを相互に嵌合させて一体化する嵌合手段と、前記嵌合手段によって排気ダクトを相互に嵌合させて一体化したときに排気ファンを前記排気ダクトの内部に挟み込んで保持する溝状保持手段と、前記排気ファンへの配線を前記排気ダクトの内面に掛止する配線掛止手段と、前記排気ファンによる排気を前記排気口へ導くために向きを変える導流板と、を備えるという手段を講じた。
【０００７】
【発明の実施の形態】
本発明の実施の形態では、２分割構成された排気ダクトを分離して、排気ファンの周縁部を溝状保持手段の溝に入れて配置したのち、２分割構成された排気ダクトを嵌合することによって、前記排気ダクトの内部に排気ファンを固定するとともに、排気ダクトを一体化する。
【０００８】
このとき、排気ファンへの配線は、配線掛止手段によって前記排気ダクトの内面に掛止されるので邪魔にはならない。
このようにして、一体化された排気ダクトの出口を装置の排気口に合わせて固定するのである。
【０００９】
【実施例】
以下に、本発明にかかる写真処理装置を、その実施例を示した図面に基づいて詳細に説明する。
【００１０】
図１は自動現像処理装置を後方から斜めに見下ろした斜視図である。
図において、１は自動現像処理装置である。内部には、露光済のネガフィルムを自動的且つ連続的に現像するための化学処理プロセスが内蔵されている。
自動現像処理装置１の前面パネル１１には、メンテナンス用の開閉扉が備えられているので、背面パネル１２を壁に密着させて、前面パネル１１の前方にはメンテナンス用の空間が確保されている。
【００１１】
自動現像処理装置１の内部で発生した熱と湿気等のガス成分を排気するための排気口４は自動現像処理装置１の上面パネル１３の後部に開口されている。
この排気口４の内側には、図２，３に示したような合成樹脂製の排気ダクト５が取り付けられている。この排気ダクト５の内部に排気ファン４１が保持されている。排気ファン４１による排気は、斜めの導流板５１によって向きを上方に変えられ、排気口４に設けられた整流板５２によって整流されて上方に排気されるのである。
【００１２】
なお、前記排気ダクト５は二つの部材５Ａ，５Ｂに２分割構成されており、ネジ止め部５１には二つの部材５Ａ，５Ｂを重ねて上面パネル１３にネジ止め固定するためのナット固定形状が形成されている。また、図５に示したように、一方の部材５Ａの分割面側の縁近傍には突起５３Ａが形成され、他方の部材５Ｂには前記突起５３Ａと対応する位置に前記突起５３Ａと掛合しうるコ字型の弾性片５３Ｂが突出形成されいる。
【００１３】
また、二つの部材５Ａ，５Ｂの内面には、内側に突出したリブ状構造５４によって溝状保持構造５５が形成されている。この溝状保持構造５５の幅は排気ファン４１の厚みより僅かに広い幅として、指が差し込まれても安全なようにフィンガーガード５８をネジを使わずに固定できる構成となっている。
また、図４に示したように、一方の部材５Ａの隅部には配線用の孔５６が設けられ、この孔５６の縁に切込み５７が形成されている。
【００１４】
そこで、二つの部材５Ａ，５Ｂの溝状保持構造５５に排気ファン４１の縁を嵌め込みながら、二つの部材５Ａ，５Ｂを閉じ、前記弾性片５３Ｂを前記突起５３Ａに掛合させ、ネジ止め部５１にて上面パネル１３にネジ止め固定すると、二つの部材５Ａ，５Ｂは一体化され、その内部には排気ファン４１及びフィンガーガード５８が挟みこまれた状態で固定される。なお、排気ファン４１の吸入側のダクト部分が長ければフィンガーガードを省略することができる。
【００１５】
また、排気ファン４１への配線は、前記配線用の孔５６を通って外部と接続されている。組み立て後には、配線を前記切込み５７に押し込んで配線がぐらつかないようにする。この切込み５７により、配線を固定するためのクランプ等の固定部品を不要とすることができるのである。
【００１６】
このように、２分割構成された二つの部材５Ａ，５Ｂを閉じて嵌合することによって簡単に一体化したダクトを構成することができるとともに、その内部に形成された溝状保持構造５５に排気ファン４１を挟みこんで保持するので、ダクトの一体化にもまた排気ファン４１の取付けにもネジやビス等を要しないので、作業が極めて簡略化されるという効果が得られる。
【００１７】
さらに、排気口が、自動現像処理装置１の背面でなく上面に開口しているので、自動現像処理装置１の背面を壁に密着させることができるので、従来より必要であった背面パネルと壁との隙間が不要になり、実質的な設置スペースは従来より小さくできるという効果も得られる。
【００１８】
なお、本発明の技術は、自動現像処理装置１に限らず、排気ファンを備えている装置であれば写真焼付け装置等の種々の写真処理装置に適用できる技術である。
これらの場合においても、排気ダクトを２分割構成して、内部に排気ファンを挟み込む溝状保持構造を設ければ、排気ダクトの一体化とともに排気ファンの固定も可能になり、作業性が極めて向上するのである。
【００１９】
本発明によれば、２分割構成されたダクトの内部に排気ファンを保持する溝状保持手段を形成したので、嵌合手段によってダクトを一体化すると、排気ファンもその内部に保持される。
よって、２分割構成されたダクトを一体化するためにも、また、排気ファンを固定するためにも、ネジやビス等を要しないので、作業が極めて簡略化されるという効果が得られる。
また、排気ダクトの内部における排気ファンへの配線は配線掛止手段によって内面に掛止されているのでぐらつかない。また、配線を固定するためのクランプ等の固定部品が不要である。
さらに、排気口が、写真処理装置の背面でなく上面に開口しているので、写真処理装置の背面を壁に密着させることができ、従来必要であった背面パネルと壁との隙間が不要になり、実質的な設置スペースは従来より小さくできるという効果も得られる。
【図面の簡単な説明】
【図１】本発明にかかる写真処理装置の実施例としての自動現像処理装置の斜視図である。
【図２】同自動現像処理装置の排気ダクトの側面図である。
【図３】同自動現像処理装置の排気ダクトの平面図である。
【図４】同自動現像処理装置の排気ダクトの要部拡大斜視図である。
【図５】同自動現像処理装置の排気ダクトの要部拡大斜視図である。
【符号の説明】
１  自動現像処理装置（写真処理装置）
４  排気口
４１  排気ファン
５  排気ダクト
５Ａ  右側部材（２分割構成された排気ダクト）
５Ｂ  左側部材（２分割構成された排気ダクト）
５１    ネジ止め部
５３Ａ  突起（嵌合手段）
５３Ｂ  弾性片（嵌合手段）
５４    リブ状構造
５５    溝状保持構造（溝状保持手段）
５７    切込み（配線掛止手段）
【図１】
0003577793.tif 000002
【図２】
0003577793.tif 000003
【図３】
0003577793.tif 000004
【図４】
0003577793.tif 000005
【図５】
0003577793.tif 000006